(57)【要約】  本発明は、情報送受信方法、装置およびシステムを提供し、無線通信技術分野に関する。当該方法は、基地局との接続を確立するステップと、基地局との接続の確立中に、基地局が端末能力を示すフィールドを含む端末能力情報に基づいて端末を移動データネットワークへアクセスさせるように、端末能力情報を基地局へ送信するステップとを含み、端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを少なくとも含む。これにより、基地局がネットワークリソースを割り当てるときに端末のデータスループット能力のみに応じて割り当てるため、サービスのタイプに対応するネットワークリソースを割り当てることができないという従来の問題を解決するとともに、端末から送信された端末能力がより全面的になり、基地局がリソースを割り当てるときに端末から送信された複数種の端末能力に応じてサービスのタイプに対応するネットワークリソースを端末へ割り当てることができるという作用効果を奏する。【選択図】図２
2018528625.tif 000002
【特許請求の範囲】
【請求項１】
端末に用いられる情報送信方法であって、
基地局との接続を確立するステップと、
前記基地局との接続の確立中に、前記基地局が端末能力を示すフィールドを含む端末能力情報に基づいて前記端末を移動データネットワークへアクセスさせるように、前記端末能力情報を前記基地局へ送信するステップと、を含み、
前記端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを少なくとも含む、ことを特徴とする情報送信方法。
【請求項２】
前記端末能力が前記遅延に関する能力を含む場合、前記端末能力情報は、前記端末の遅延に関する能力を示す遅延能力フィールドを含み、前記遅延能力フィールドがＸ桁のビットからなり、Ｘが１以上の整数である、ことを特徴とする請求項１に記載の情報送信方法。
【請求項３】
前記端末能力が前記消費電力に関する能力を含む場合、前記端末能力情報は、前記端末の消費電力に関する能力を示す消費電力能力フィールドを含み、前記消費電力能力フィールドがＹ桁のビットからなり、Ｙが１以上の整数である、ことを特徴とする請求項１または２に記載の情報送信方法。
【請求項４】
前記端末能力が前記信頼性に関する能力を含む場合、前記端末能力情報は、前記端末の信頼性に関する能力を示す信頼性能力フィールドを含み、前記信頼性能力フィールドがＺ桁のビットからなり、Ｚが１以上の整数である、ことを特徴とする請求項１から３の何れか一項に記載の情報送信方法。
【請求項５】
前記端末能力が前記ｅＭＢＢ能力を含む場合、前記端末能力情報は、前記端末のｅＭＢＢ能力を示すｅＭＢＢ能力フィールドを含み、前記ｅＭＢＢ能力フィールドがＭ桁のビットからなり、Ｍが１以上の整数である、ことを特徴とする請求項１から４の何れか一項に記載の情報送信方法。
【請求項６】
前記端末能力が前記ｍＭＴＣ能力を含む場合、前記端末能力情報は、前記端末のｍＭＴＣ能力を示すｍＭＴＣ能力フィールドを含み、前記ｍＭＴＣ能力フィールドがＮ桁のビットからなり、Ｎが１以上の整数である、ことを特徴とする請求項１から５の何れか一項に記載の情報送信方法。
【請求項７】
前記端末能力が前記ＵＲＬＬＣ能力を含む場合、前記端末能力情報は、前記端末のＵＲＬＬＣ能力を示すＵＲＬＬＣ能力フィールドを含み、前記ＵＲＬＬＣ能力フィールドがＡ桁のビットからなり、Ａが１以上の整数である、ことを特徴とする請求項１から６の何れか一項に記載の情報送信方法。
【請求項８】
前記端末能力情報は、前記端末のデータスループット能力を示すデータスループット能力フィールドを含み、前記データスループット能力フィールドがＫ桁のビットからなり、前記Ｋが１以上の整数である、ことを特徴とする請求項１から７の何れか一項に記載の情報送信方法。
【請求項９】
前記基地局によって割り当てられたネットワークリソースを用いてサービスを処理するステップをさらに含み、
前記ネットワークリソースは、前記基地局が前記端末能力情報に基づいて前記端末の実行すべきサービスのタイプを特定し、前記サービスのタイプに応じて前記端末へ割り当てるものである、ことを特徴とする請求項１から８の何れか一項に記載の情報送信方法。
【請求項１０】
前記基地局との接続の確立中に、前記基地局から送信された能力問い合わせ情報であって、前記端末が前記端末能力情報を前記基地局へ送信するように指示するための能力問い合わせ情報を受信するステップをさらに含む、ことを特徴とする請求項１から９の何れか一項に記載の情報送信方法。
【請求項１１】
前記基地局が前記端末能力情報に基づいて前記端末を前記移動データネットワークへアクセスさせるように、前記端末能力情報を前記基地局へ送信するステップは、
前記基地局が端末能力情報に基づいて前記端末能力を特定して前記端末能力が能力区間内にあるか否かを判断し、且つ前記端末能力が前記能力区間内にある場合において前記端末を前記移動データネットワークへアクセスさせるように、前記端末能力情報を前記基地局へ送信するステップを含み、
前記能力区間の端点は、前記移動データネットワークがサポートする端末の最小能力および最大能力である、ことを特徴とする請求項１から１０の何れか一項に記載の情報送信方法。
【請求項１２】
基地局に用いられる情報受信方法であって、
端末との接続を確立するステップと、
端末との接続の確立中に、端末能力を示すフィールドを含む、前記端末から送信された端末能力情報を受信するステップと、
前記端末能力情報に基づいて前記端末を移動データネットワークへアクセスさせるステップと、を含み、
前記端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを含む、ことを特徴とする情報受信方法。
【請求項１３】
前記端末能力が前記遅延に関する能力を含む場合、前記端末能力情報は、前記端末の遅延に関する能力を示す遅延能力フィールドを含み、前記遅延能力フィールドがＸ桁のビットからなり、Ｘが１以上の整数である、ことを特徴とする請求項１２に記載の情報受信方法。
【請求項１４】
前記端末能力が前記消費電力に関する能力を含む場合、前記端末能力情報は、前記端末の消費電力に関する能力を示す消費電力能力フィールドを含み、前記消費電力能力フィールドがＹ桁のビットからなり、Ｙが１以上の整数である、ことを特徴とする請求項１２または１３に記載の情報受信方法。
【請求項１５】
前記端末能力が前記信頼性に関する能力を含む場合、前記端末能力情報は、前記端末の信頼性に関する能力を示す信頼性能力フィールドを含み、前記信頼性能力フィールドがＺ桁のビットからなり、Ｚが１以上の整数である、ことを特徴とする請求項１２から１４の何れか一項に記載の情報受信方法。
【請求項１６】
前記端末能力が前記ｅＭＢＢ能力を含む場合、前記端末能力情報は、前記端末のｅＭＢＢ能力を示すｅＭＢＢ能力フィールドを含み、前記ｅＭＢＢ能力フィールドがＭ桁のビットからなり、Ｍが１以上の整数である、ことを特徴とする請求項１２から１５の何れか一項に記載の情報受信方法。
【請求項１７】
前記端末能力が前記ｍＭＴＣ能力を含む場合、前記端末能力情報は、前記端末のｍＭＴＣ能力を示すｍＭＴＣ能力フィールドを含み、前記ｍＭＴＣ能力フィールドがＮ桁のビットからなり、Ｎが１以上の整数である、ことを特徴とする請求項１２から１６の何れか一項に記載の情報受信方法。
【請求項１８】
前記端末能力が前記ＵＲＬＬＣ能力を含む場合、前記端末能力情報は、前記端末のＵＲＬＬＣ能力を示すＵＲＬＬＣ能力フィールドを含み、前記ＵＲＬＬＣ能力フィールドがＡ桁のビットからなり、Ａが１以上の整数である、ことを特徴とする請求項１２から１７の何れか一項に記載の情報受信方法。
【請求項１９】
前記端末能力情報は、前記端末のデータスループット能力を示すデータスループット能力フィールドを含み、前記データスループット能力フィールドがＫ桁のビットからなり、前記Ｋが１以上の整数である、ことを特徴とする請求項１２から１８の何れか一項に記載の情報受信方法。
【請求項２０】
前記端末能力情報に基づいて前記端末の実行すべきサービスのタイプを特定するステップと、
ネットワークリソースを前記サービスのタイプに応じて前記端末へ割り当てるステップと、をさらに含む、ことを特徴とする請求項１２から１９の何れか一項に記載の情報受信方法。
【請求項２１】
前記端末との接続の確立中に、前記端末が前記端末能力情報を送信するように指示するための能力問い合わせ情報を、前記端末へ送信するステップをさらに含む、ことを特徴とする請求項１２から２０の何れか一項に記載の情報受信方法。
【請求項２２】
前記端末能力情報に基づいて前記端末を前記移動データネットワークへアクセスさせるステップは、
前記端末能力情報に基づいて前記端末能力を特定するステップと、
前記端末能力が能力区間内にあるか否かを判断するステップと、
前記端末能力が前記能力区間内にある場合、前記端末を前記移動データネットワークへアクセスさせるステップと、を含み、
前記能力区間の端点は、前記移動データネットワークがサポートする端末の最小能力および最大能力である、ことを特徴とする請求項１２から２１の何れか一項に記載の情報受信方法。
【請求項２３】
端末に用いられる情報送信装置であって、
基地局との接続を確立するように構成される接続モジュールと、
前記基地局との接続の確立中に、前記基地局が端末能力を示すフィールドを含む端末能力情報に基づいて前記端末を移動データネットワークへアクセスさせるように、前記端末能力情報を前記基地局へ送信するように構成される第１送信モジュールと、を備え、
前記端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを少なくとも含む、ことを特徴とする情報送信装置。
【請求項２４】
前記端末能力が前記遅延に関する能力を含む場合、前記端末能力情報は、前記端末の遅延に関する能力を示す遅延能力フィールドを含み、前記遅延能力フィールドがＸ桁のビットからなり、Ｘが１以上の整数である、ことを特徴とする請求項２３に記載の情報送信装置。
【請求項２５】
前記端末能力が前記消費電力に関する能力を含む場合、前記端末能力情報は、前記端末の消費電力に関する能力を示す消費電力能力フィールドを含み、前記消費電力能力フィールドがＹ桁のビットからなり、Ｙが１以上の整数である、ことを特徴とする請求項２３または２４に記載の情報送信装置。
【請求項２６】
前記端末能力が前記信頼性に関する能力を含む場合、前記端末能力情報は、前記端末の信頼性に関する能力を示す信頼性能力フィールドを含み、前記信頼性能力フィールドがＺ桁のビットからなり、Ｚが１以上の整数である、ことを特徴とする請求項２３から２５の何れか一項に記載の情報送信装置。
【請求項２７】
前記端末能力が前記ｅＭＢＢ能力を含む場合、前記端末能力情報は、前記端末のｅＭＢＢ能力を示すｅＭＢＢ能力フィールドを含み、前記ｅＭＢＢ能力フィールドがＭ桁のビットからなり、Ｍが１以上の整数である、ことを特徴とする請求項２３から２６の何れか一項に記載の情報送信装置。
【請求項２８】
前記端末能力が前記ｍＭＴＣ能力を含む場合、前記端末能力情報は、前記端末のｍＭＴＣ能力を示すｍＭＴＣ能力フィールドを含み、前記ｍＭＴＣ能力フィールドがＮ桁のビットからなり、Ｎが１以上の整数である、ことを特徴とする請求項２３から２７の何れか一項に記載の情報送信装置。
【請求項２９】
前記端末能力が前記ＵＲＬＬＣ能力を含む場合、前記端末能力情報は、前記端末のＵＲＬＬＣ能力を示すＵＲＬＬＣ能力フィールドを含み、前記ＵＲＬＬＣ能力フィールドがＡ桁のビットからなり、Ａが１以上の整数である、ことを特徴とする請求項２３から２８の何れか一項に記載の情報送信装置。
【請求項３０】
前記端末能力は、前記端末のデータスループット能力を示すデータスループット能力をさらに含み、前記端末能力情報は、データスループット能力フィールドをさらに含み、前記データスループット能力フィールドがＫ桁のビットからなり、前記Ｋが１以上の整数である、ことを特徴とする請求項２３から２９の何れか一項に記載の情報送信装置。
【請求項３１】
前記基地局によって割り当てられたネットワークリソースを用いてサービスを処理するように構成されるサービス処理モジュールをさらに備え、
前記ネットワークリソースは、前記基地局が前記端末能力情報に基づいて前記端末の実行すべきサービスのタイプを特定し、前記サービスのタイプに応じて前記端末へ割り当てるものである、ことを特徴とする請求項２３から３０の何れか一項に記載の情報送信装置。
【請求項３２】
前記基地局との接続の確立中に、前記基地局から送信された能力問い合わせ情報であって、前記端末が前記端末能力情報を前記基地局へ送信するように指示するための能力問い合わせ情報を受信するように構成される受信モジュールをさらに備える、ことを特徴とする請求項２３から３１の何れか一項に記載の情報送信装置。
【請求項３３】
前記第１送信モジュールは、さらに、
前記基地局が端末能力情報に基づいて前記端末能力を特定して前記端末能力が能力区間内にあるか否かを判断し、且つ前記端末能力が前記能力区間内にある場合において前記端末を前記移動データネットワークへアクセスさせるように、前記端末能力情報を前記基地局へ送信するように構成され、
前記能力区間の端点は、前記移動データネットワークがサポートする端末の最小能力および最大能力である、ことを特徴とする請求項２３から３２の何れか一項に記載の情報送信装置。
【請求項３４】
基地局に用いられる情報受信装置であって、
端末との接続を確立するように構成される接続モジュールと、
端末との接続の確立中に、端末能力を示すフィールドを含む、前記端末から送信された端末能力情報を受信するように構成される第１受信モジュールと、を備え、
前記端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを含み、
前記接続モジュールは、さらに、前記端末能力情報に基づいて前記端末を移動データネットワークへアクセスさせるように構成される、ことを特徴とする情報受信装置。
【請求項３５】
前記端末能力が前記遅延に関する能力を含む場合、前記端末能力情報は、前記端末の遅延に関する能力を示す遅延能力フィールドを含み、前記遅延能力フィールドがＸ桁のビットからなり、Ｘが１以上の整数である、ことを特徴とする請求項３４に記載の情報受信装置。
【請求項３６】
前記端末能力が前記消費電力に関する能力を含む場合、前記端末能力情報は、前記端末の消費電力に関する能力を示す消費電力能力フィールドを含み、前記消費電力能力フィールドがＹ桁のビットからなり、Ｙが１以上の整数である、ことを特徴とする請求項３４または３５に記載の情報受信装置。
【請求項３７】
前記端末能力が前記信頼性に関する能力を含む場合、前記端末能力情報は、前記端末の信頼性に関する能力を示す信頼性能力フィールドを含み、前記信頼性能力フィールドがＺ桁のビットからなり、Ｚが１以上の整数である、ことを特徴とする請求項３４から３６の何れか一項に記載の情報受信装置。
【請求項３８】
前記端末能力が前記ｅＭＢＢ能力を含む場合、前記端末能力情報は、前記端末のｅＭＢＢ能力を示すｅＭＢＢ能力フィールドを含み、前記ｅＭＢＢ能力フィールドがＭ桁のビットからなり、Ｍが１以上の整数である、ことを特徴とする請求項３４から３７の何れか一項に記載の情報受信装置。
【請求項３９】
前記端末能力が前記ｍＭＴＣ能力を含む場合、前記端末能力情報は、前記端末のｍＭＴＣ能力を示すｍＭＴＣ能力フィールドを含み、前記ｍＭＴＣ能力フィールドがＮ桁のビットからなり、Ｎが１以上の整数である、ことを特徴とする請求項３４から３８の何れか一項に記載の情報受信装置。
【請求項４０】
前記端末能力が前記ＵＲＬＬＣ能力を含む場合、前記端末能力情報は、前記端末のＵＲＬＬＣ能力を示すＵＲＬＬＣ能力フィールドを含み、前記ＵＲＬＬＣ能力フィールドがＡ桁のビットからなり、Ａが１以上の整数である、ことを特徴とする請求項３４から３９の何れか一項に記載の情報受信装置。
【請求項４１】
前記端末能力情報は、前記端末のデータスループット能力を示すデータスループット能力フィールドを含み、前記データスループット能力フィールドがＫ桁のビットからなり、前記Ｋが１以上の整数である、ことを特徴とする請求項３４から４０の何れか一項に記載の情報受信装置。
【請求項４２】
前記端末能力情報に基づいて前記端末の実行すべきサービスのタイプを特定するように構成されるタイプ特定モジュールと、
ネットワークリソースを前記サービスのタイプに応じて前記端末へ割り当てるように構成されるリソース割当モジュールと、をさらに備える、ことを特徴とする請求項３４から４１の何れか一項に記載の情報受信装置。
【請求項４３】
前記端末との接続の確立中に、前記端末が前記端末能力情報を送信するように指示するための能力問い合わせ情報を前記端末へ送信するように構成される送信モジュールをさらに備える、ことを特徴とする請求項３４から４２の何れか一項に記載の情報受信装置。
【請求項４４】
前記接続モジュールは、さらに、
前記端末能力情報に基づいて前記端末能力を特定し、
前記端末能力が能力区間内にあるか否かを判断し、
前記端末能力が前記能力区間内にある場合、前記端末を前記移動データネットワークへアクセスさせるように構成され、
前記能力区間の端点は、前記移動データネットワークがサポートする端末の最小能力および最大能力である、ことを特徴とする請求項３４から４３の何れか一項に記載の情報受信装置。
【請求項４５】
情報送信装置であって、
プロセッサと、
プロセッサの実行可能な指令を記憶するためのメモリと、を備え、
前記プロセッサは、
基地局との接続を確立し、
前記基地局との接続の確立中に、前記基地局が端末能力を示すフィールドを含む端末能力情報に基づいて前記端末を移動データネットワークへアクセスさせるように、前記端末能力情報を前記基地局へ送信するように構成され、
前記端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを少なくとも含む、ことを特徴とする情報送信装置。
【請求項４６】
情報受信装置であって、
プロセッサと、
プロセッサの実行可能な指令を記憶するためのメモリと、を備え、
前記プロセッサは、
端末との接続を確立し、
端末との接続の確立中に、端末能力を示すフィールドを含む、前記端末から送信された端末能力情報を受信し、
前記端末能力情報に基づいて前記端末を移動データネットワークへアクセスさせるように構成され、
前記端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを含む、ことを特徴とする情報受信装置。
【請求項４７】
請求項２３から３３の何れか一項に記載の情報送信装置と、請求項３４から４４の何れか一項に記載の情報受信装置とを含む、ことを特徴とする情報送受信システム。
【発明の詳細な説明】
【技術分野】
【０００１】
本発明は、無線通信技術分野に関し、特に情報送受信方法、装置およびシステムに関する。
【背景技術】
【０００２】
無線通信技術の発展とともに、端末は、伝送レートが向上するように、より広いネットワーク帯域幅およびより高次の変調方式を求めつつある。
【０００３】
関連技術では、端末が端末のデータスループット能力のみを示す能力情報を基地局へ送信するため、基地局が能力情報に含まれるデータスループット能力に応じて対応するネットワークリソースを端末に割り当てる。
【発明の概要】
【発明が解決しようとする課題】
【０００４】
端末が端末能力（ＵＥ Ｃａｐａｂｉｌｉｔｙ）を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決すべく、本発明は、情報送受信方法、装置およびシステムを提供する。その解決手段は、下記の通りである。
【課題を解決するための手段】
【０００５】
本発明の実施例の第１態様によれば、情報送信方法を提供する。当該方法は、端末に用いられる。当該方法は、基地局との接続を確立するステップと、基地局との接続の確立中に、基地局が端末能力を示すフィールドを含む端末能力情報に基づいて端末を移動データネットワークへアクセスさせるように、端末能力情報を基地局へ送信するステップと、を含み、端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを少なくとも含む。
【０００６】
好ましくは、端末能力が遅延に関する能力を含む場合、端末能力情報は、端末の遅延に関する能力を示す遅延能力フィールドを含み、遅延能力フィールドがＸ桁のビットからなり、Ｘが１以上の整数である。
【０００７】
好ましくは、端末能力が消費電力に関する能力を含む場合、端末能力情報は、端末の消費電力に関する能力を示す消費電力能力フィールドを含み、消費電力能力フィールドがＹ桁のビットからなり、Ｙが１以上の整数である。
【０００８】
好ましくは、端末能力が信頼性に関する能力を含む場合、端末能力情報は、端末の信頼性に関する能力を示す信頼性能力フィールドを含み、信頼性能力フィールドがＺ桁のビットからなり、Ｚが１以上の整数である。
【０００９】
好ましくは、端末能力がｅＭＢＢ能力を含む場合、端末能力情報は、端末のｅＭＢＢ能力を示すｅＭＢＢ能力フィールドを含み、ｅＭＢＢ能力フィールドがＭ桁のビットからなり、Ｍが１以上の整数である。
【００１０】
好ましくは、端末能力がｍＭＴＣ能力を含む場合、端末能力情報は、端末のｍＭＴＣ能力を示すｍＭＴＣ能力フィールドを含み、ｍＭＴＣ能力フィールドがＮ桁のビットからなり、Ｎが１以上の整数である。
【００１１】
好ましくは、端末能力がＵＲＬＬＣ能力を含む場合、端末能力情報は、端末のＵＲＬＬＣ能力を示すＵＲＬＬＣ能力フィールドを含み、ＵＲＬＬＣ能力フィールドがＡ桁のビットからなり、Ａが１以上の整数である。
【００１２】
好ましくは、端末能力情報は、端末のデータスループット能力を示すデータスループット能力フィールドを含み、データスループット能力フィールドがＫ桁のビットからなり、Ｋが１以上の整数である。
【００１３】
好ましくは、当該方法は、さらに、基地局によって割り当てられたネットワークリソースを用いてサービスを処理するステップを含み、ネットワークリソースは、基地局が端末能力情報に基づいて端末の実行すべきサービスのタイプを特定し、サービスのタイプに応じて端末へ割り当てるものである。
【００１４】
好ましくは、当該方法は、さらに、基地局との接続の確立中に、基地局から送信された能力問い合わせ情報であって、端末が端末能力情報を基地局へ送信するように指示するための能力問い合わせ情報を受信するステップを含む。
【００１５】
好ましくは、基地局が端末能力情報に基づいて端末を移動データネットワークへアクセスさせるように、端末能力情報を基地局へ送信するステップは、基地局が端末能力情報に基づいて端末能力を特定して端末能力が能力区間内にあるか否かを判断し、且つ端末能力が能力区間内にある場合において端末を移動データネットワークへアクセスさせるように、端末能力情報を基地局へ送信するステップを含み、能力区間の端点は、移動データネットワークがサポートする端末の最小能力および最大能力である。
【００１６】
本発明の実施例の第２態様によれば、情報受信方法を提供する。当該方法は、基地局に用いられる。当該方法は、端末との接続を確立するステップと、端末との接続の確立中に、端末能力を示すフィールドを含む、端末から送信された端末能力情報を受信するステップと、端末能力情報に基づいて端末を移動データネットワークへアクセスさせるステップと、を含み、端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを含む。
【００１７】
好ましくは、端末能力が遅延に関する能力を含む場合、端末能力情報は、端末の遅延に関する能力を示す遅延能力フィールドを含み、遅延能力フィールドがＸ桁のビットからなり、Ｘが１以上の整数である。
【００１８】
好ましくは、端末能力が消費電力に関する能力を含む場合、端末能力情報は、端末の消費電力に関する能力を示す消費電力能力フィールドを含み、消費電力能力フィールドがＹ桁のビットからなり、Ｙが１以上の整数である。
【００１９】
好ましくは、端末能力が信頼性に関する能力を含む場合、端末能力情報は、端末の信頼性に関する能力を示す信頼性能力フィールドを含み、信頼性能力フィールドがＺ桁のビットからなり、Ｚが１以上の整数である。
【００２０】
好ましくは、端末能力がｅＭＢＢ能力を含む場合、端末能力情報は、端末のｅＭＢＢ能力を示すｅＭＢＢ能力フィールドを含み、ｅＭＢＢ能力フィールドがＭ桁のビットからなり、Ｍが１以上の整数である。
【００２１】
好ましくは、端末能力がｍＭＴＣ能力を含む場合、端末能力情報は、端末のｍＭＴＣ能力を示すｍＭＴＣ能力フィールドを含み、ｍＭＴＣ能力フィールドがＮ桁のビットからなり、Ｎが１以上の整数である。
【００２２】
好ましくは、端末能力がＵＲＬＬＣ能力を含む場合、端末能力情報は、端末のＵＲＬＬＣ能力を示すＵＲＬＬＣ能力フィールドを含み、ＵＲＬＬＣ能力フィールドがＡ桁のビットからなり、Ａが１以上の整数である。
【００２３】
好ましくは、端末能力情報は、端末のデータスループット能力を示すデータスループット能力フィールドを含み、データスループット能力フィールドがＫ桁のビットからなり、Ｋが１以上の整数である。
【００２４】
好ましくは、当該方法は、さらに、端末能力情報に基づいて端末の実行すべきサービスのタイプを特定するステップと、ネットワークリソースをサービスのタイプに応じて端末へ割り当てるステップと、を含む。
【００２５】
好ましくは、当該方法は、さらに、端末との接続の確立中に、端末が端末能力情報を送信するように指示するための能力問い合わせ情報を端末へ送信する。
【００２６】
好ましくは、端末能力情報に基づいて端末を移動データネットワークへアクセスさせるステップは、端末能力情報に基づいて端末能力を特定するステップと、端末能力が能力区間内にあるか否かを判断するステップと、端末能力が能力区間内にある場合、端末を移動データネットワークへアクセスさせるステップと、を含み、能力区間の端点は、移動データネットワークがサポートする端末の最小能力および最大能力である。
【００２７】
本発明の実施例の第３態様によれば、情報送信装置を提供する。当該装置は、端末に用いられる。当該装置は、基地局との接続を確立するように構成される接続モジュールと、基地局との接続の確立中に、基地局が端末能力を示すフィールドを含む端末能力情報に基づいて端末を移動データネットワークへアクセスさせるように、端末能力情報を基地局へ送信するように構成される第１送信モジュールと、を備え、端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを少なくとも含む。
【００２８】
好ましくは、端末能力が遅延に関する能力を含む場合、端末能力情報は、端末の遅延に関する能力を示す遅延能力フィールドを含み、遅延能力フィールドがＸ桁のビットからなり、Ｘが１以上の整数である。
【００２９】
好ましくは、端末能力が消費電力に関する能力を含む場合、端末能力情報は、端末の消費電力に関する能力を示す消費電力能力フィールドを含み、消費電力能力フィールドがＹ桁のビットからなり、Ｙが１以上の整数である。
【００３０】
好ましくは、端末能力が信頼性に関する能力を含む場合、端末能力情報は、端末の信頼性に関する能力を示す信頼性能力フィールドを含み、信頼性能力フィールドがＺ桁のビットからなり、Ｚが１以上の整数である。
【００３１】
好ましくは、端末能力がｅＭＢＢ能力を含む場合、端末能力情報は、端末のｅＭＢＢ能力を示すｅＭＢＢ能力フィールドを含み、ｅＭＢＢ能力フィールドがＭ桁のビットからなり、Ｍが１以上の整数である。
【００３２】
好ましくは、端末能力がｍＭＴＣ能力を含む場合、端末能力情報は、端末のｍＭＴＣ能力を示すｍＭＴＣ能力フィールドを含み、ｍＭＴＣ能力フィールドがＮ桁のビットからなり、Ｎが１以上の整数である。
【００３３】
好ましくは、端末能力がＵＲＬＬＣ能力を含む場合、端末能力情報は、端末のＵＲＬＬＣ能力を示すＵＲＬＬＣ能力フィールドを含み、ＵＲＬＬＣ能力フィールドがＡ桁のビットからなり、Ａが１以上の整数である。
【００３４】
好ましくは、端末能力は、端末のデータスループット能力を示すデータスループット能力をさらに含み、端末能力情報は、データスループット能力フィールドをさらに含み、データスループット能力フィールドがＫ桁のビットからなり、Ｋが１以上の整数である。
【００３５】
好ましくは、当該装置は、さらに、基地局によって割り当てられたネットワークリソースを用いてサービスを処理するように構成されるサービス処理モジュールを備え、ネットワークリソースは、基地局が端末能力情報に基づいて端末の実行すべきサービスのタイプを特定し、サービスのタイプに応じて端末へ割り当てるものである。
【００３６】
好ましくは、当該装置は、さらに、基地局との接続の確立中に、基地局から送信された能力問い合わせ情報であって、端末が端末能力情報を基地局へ送信するように指示するための能力問い合わせ情報を受信するように構成される受信モジュールを備える。
【００３７】
好ましくは、第１送信モジュールは、さらに、基地局が端末能力情報に基づいて端末能力を特定して端末能力が能力区間内にあるか否かを判断し、且つ端末能力が能力区間内にある場合において端末を移動データネットワークへアクセスさせるように、端末能力情報を基地局へ送信するように構成され、能力区間の端点は、移動データネットワークがサポートする端末の最小能力および最大能力である。
【００３８】
本発明の実施例の第４態様によれば、情報受信装置を提供する。当該装置は、基地局に用いられる。当該装置は、端末との接続を確立するように構成される接続モジュールと、端末との接続の確立中に、端末能力を示すフィールドを含む、端末から送信された端末能力情報を受信するように構成される第１受信モジュールと、を備え、端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを含み、接続モジュールは、さらに、端末能力情報に基づいて端末を移動データネットワークへアクセスさせるように構成される。
【００３９】
好ましくは、端末能力が遅延に関する能力を含む場合、端末能力情報は、端末の遅延に関する能力を示す遅延能力フィールドを含み、遅延能力フィールドがＸ桁のビットからなり、Ｘが１以上の整数である。
【００４０】
好ましくは、端末能力が消費電力に関する能力を含む場合、端末能力情報は、端末の消費電力に関する能力を示す消費電力能力フィールドを含み、消費電力能力フィールドがＹ桁のビットからなり、Ｙが１以上の整数である。
【００４１】
好ましくは、端末能力が信頼性に関する能力を含む場合、端末能力情報は、端末の信頼性に関する能力を示す信頼性能力フィールドを含み、信頼性能力フィールドがＺ桁のビットからなり、Ｚが１以上の整数である。
【００４２】
好ましくは、端末能力がｅＭＢＢ能力を含む場合、端末能力情報は、端末のｅＭＢＢ能力を示すｅＭＢＢ能力フィールドを含み、ｅＭＢＢ能力フィールドがＭ桁のビットからなり、Ｍが１以上の整数である。
【００４３】
好ましくは、端末能力がｍＭＴＣ能力を含む場合、端末能力情報は、端末のｍＭＴＣ能力を示すｍＭＴＣ能力フィールドを含み、ｍＭＴＣ能力フィールドがＮ桁のビットからなり、Ｎが１以上の整数である。
【００４４】
好ましくは、端末能力がＵＲＬＬＣ能力を含む場合、端末能力情報は、端末のＵＲＬＬＣ能力を示すＵＲＬＬＣ能力フィールドを含み、ＵＲＬＬＣ能力フィールドがＡ桁のビットからなり、Ａが１以上の整数である。
【００４５】
好ましくは、端末能力情報は、端末のデータスループット能力を示すデータスループット能力フィールドを含み、データスループット能力フィールドがＫ桁のビットからなり、Ｋが１以上の整数である。
【００４６】
好ましくは、当該装置は、さらに、端末能力情報に基づいて端末の実行すべきサービスのタイプを特定するように構成されるタイプ特定モジュールと、ネットワークリソースをサービスのタイプに応じて端末へ割り当てるように構成されるリソース割当モジュールと、を備える。
【００４７】
好ましくは、当該装置は、さらに、端末との接続の確立中に、端末が端末能力情報を送信するように指示するための能力問い合わせ情報を端末へ送信するように構成される送信モジュールを備える。
【００４８】
好ましくは、接続モジュールは、さらに、端末能力情報に基づいて端末能力を特定し、端末能力が能力区間内にあるか否かを判断し、端末能力が能力区間内にある場合、端末を移動データネットワークへアクセスさせるように構成され、能力区間の端点は、移動データネットワークがサポートする端末の最小能力および最大能力である。
【００４９】
本発明の実施例の第５態様によれば、情報送信装置を提供する。当該装置は、プロセッサと、プロセッサの実行可能な指令を記憶するためのメモリとを備え、プロセッサは、基地局との接続を確立し、基地局との接続の確立中に、基地局が端末能力を示すフィールドを含む端末能力情報に基づいて端末を移動データネットワークへアクセスさせるように、端末能力情報を基地局へ送信するように構成され、端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを少なくとも含む。
【００５０】
本発明の実施例の第６態様によれば、情報受信装置を提供する。当該装置は、プロセッサと、プロセッサの実行可能な指令を記憶するためのメモリとを備え、プロセッサは、端末との接続を確立し、端末との接続の確立中に、端末能力を示すフィールドを含む、端末から送信された端末能力情報を受信し、端末能力情報に基づいて端末を移動データネットワークへアクセスさせるように構成され、端末能力は、遅延に関する能力、消費電力に関する能力、信頼性に関する能力、高度モバイルブロードバンドｅＭＢＢ能力、大規模マシンタイプ通信ｍＭＴＣ能力、および超高信頼・低遅延通信ＵＲＬＬＣ能力のうちの少なくとも１つと、データスループット能力とを含む。
【００５１】
本発明の実施例の第７態様によれば、本発明の実施例は、情報送受信システムを提供する。当該システムは、第４態様および第４態様のうちの何れか１つの可能な形態に示す情報送信装置と、第５態様および第５態様のうちの何れか１つの可能な形態に示す情報受信装置とを含む。
【発明の効果】
【００５２】
端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決できるとともに、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【００５３】
また、端末能力が変化したとき、端末が更新後の端末能力情報を基地局へ送信し、基地局が端末から送信された更新後の端末能力情報に応じて端末へ割り当てるネットワークリソースをタイムリーに調整可能であるため、端末が実際の使用中で異なるタイプのサービスを切り替える場合にも異なるタイプのサービスに対する処理効果が確保される。
【図面の簡単な説明】
【００５４】
本発明の実施例における解決手段をより明瞭に説明するために、実施例の記述に必要な図面を以下で簡単に紹介する。明らかに、以下の記述に関わる図面が単なる本発明の幾つかの実施例を反映するものに過ぎず、当業者にとって、創造的な労動をしなくても、これらの図面から他の図面を得ることができる。
【図１】本発明の一実施例に供される情報送受信システムの構造模式図である。
【図２】本発明の一実施例に供される情報送受信方法のフローチャートである。
【図３】本発明の別の実施例に供される情報送受信方法のフローチャートである。
【図４】本発明の別の実施例に供される情報送受信方法のフローチャートである。
【図５Ａ】本発明の別の実施例に供される情報送信方法のフローチャートである。
【図５Ｂ】本発明の別の実施例に供される情報送信方法のフローチャートである。
【図５Ｃ】本発明の別の実施例に供される情報送信方法のフローチャートである。
【図５Ｄ】本発明の別の実施例に供される情報送信方法のフローチャートである。
【図６】本発明の一実施例に供される情報送信装置の構造ブロック図である。
【図７】本発明の一実施例に供される情報受信装置の構造ブロック図である。
【図８】本発明の一実施例に供される情報受信装置の構造ブロック図である。
【図９】本発明の一実施例に供される情報受信装置の構造ブロック図である。
【図１０】本発明の一実施例に供される情報送信装置の構造ブロック図である。
【図１１】本発明の一実施例に供される基地局の構造ブロック図である。
【発明を実施するための形態】
【００５５】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００５６】
図１は、本発明の一実施例に供される情報送受信システムの構造模式図を示す。当該情報送受信システムは、端末１１０と、基地局１２０とを含む。
端末１１０は、データ伝送能力を有する。端末１１０は、移動通信システムにおける端末機器である。好ましくは、端末１１０は、移動局（Ｍｏｂｉｌｅ Ｓｔａｔｉｏｎ）、モバイール（Ｍｏｂｉｌｅ）、ユーザ端末（Ｕｓｅｒ Ｔｅｒｍｉｎａｌ）、ユーザ機器（Ｕｓｅｒ Ｄｅｖｉｃｅ）、またはユーザ装置（Ｕｓｅｒ Ｅｑｕｉｐｍｅｎｔ、ＵＥ）である。例えば、携帯電話、タブレットＰＣおよびスマート家電等である。
【００５７】
基地局１２０は、データ伝送能力を有する。基地局１２０は、移動通信システムにおけるアクセスネットワーク機器である。好ましくは、アクセスネットワーク機器は、グローバル移動通信システム（Ｇｌｏｂａｌ Ｓｙｓｔｅｍ ｆｏｒ Ｍｏｂｉｌｅ ｃｏｍｍｕｎｉｃａｔｉｏｎ、ＧＳＭ）あるいは符号分割多元接続（Ｃｏｄｅ Ｄｉｖｉｓｉｏｎ Ｍｕｌｔｉｐｌｅ Ａｃｃｅｓｓ、ＣＤＭＡ）における基地局（ＢＴＳ、Ｂａｓｅ Ｔｒａｎｓｃｅｉｖｅｒ Ｓｔａｔｉｏｎ）である。好ましくは、アクセスネットワーク機器は、ＵＭＴＳにおける基地局（ＮｏｄｅＢ）である。好ましくは、アクセスネットワーク機器は、長期進化（Ｌｏｎｇ Ｔｅｒｍ Ｅｖｏｌｕｔｉｏｎ、ＬＴＥ）における進化型基地局（ｅｖｏｌｕｔｉｏｎａｌ Ｎｏｄｅ Ｂ、ｅＮＢ或いはｅ-ＮｏｄｅＢ）である。好ましくは、アクセスネットワーク機器は、５Ｇ（５ｔｈ-Ｇｅｎｅｒａｔｉｏｎ）における基地局である。
【００５８】
好ましくは、端末１１０は、基地局１２０との接続を確立した後、基地局１２０に供される移動データネットワークにアクセスし、無線キャリアを介して基地局１２０と通信する。
【００５９】
好ましくは、図１に示す情報送信システムが複数の端末１１０、および/または、複数の基地局１２０を含んでもよく、１つの端末１１０が複数の基地局１２０と通信してもよい。図１には、単に１つの端末１１０および１つの基地局１２０を例として説明したが、本実施例では、それについて限定しない。
【００６０】
図２は、本発明の一実施例に供される情報送受信方法のフローチャートを示す。当該情報送受信方法は、図１に示す情報送受信システムに適用可能である。図２に示すように、当該情報送受信方法は、以下のステップを含んでもよい。
【００６１】
ステップ２０１では、端末は、基地局との接続を確立する。
【００６２】
ステップ２０２では、端末は、基地局との接続を確立中に、基地局が端末能力情報に基づいて端末を移動データネットワークへアクセスさせるように、端末能力情報を基地局へ送信する。
【００６３】
端末能力情報は、端末能力を示すフィールドを含む。端末能力は、遅延に関する能力、消費電力に関する能力、信頼性に関する能力、ｅＭＢＢ（Ｅｎｈａｎｃｅｄ Ｍｏｂｉｌｅ Ｂｒｏａｄｂａｎｄ、高度モバイルブロードバンド）能力、ｍＭＴＣ（Ｍａｓｓｉｖｅ Ｍａｃｈｉｎｅ Ｔｙｐｅ Ｃｏｍｍｕｎｉｃａｔｉｏｎ、大規模マシンタイプ通信）能力、ＵＲＬＬＣ（Ｕｌｔｒａ Ｒｅｌｉａｂｌｅ ａｎｄ Ｌｏｗ Ｌａｔｅｎｃｙ Ｃｏｍｍｕｎｉｃａｔｉｏｎ、超高信頼・低遅延通信）能力のうちの少なくとも１つと、データスループット能力とを少なくとも含む。
【００６４】
ただし、遅延に関する能力、消費電力に関する能力、信頼性に関する能力、およびデータスループット能力は、技術指標に応じて分類された端末能力であり、ｅＭＢＢ能力、ｍＭＴＣ能力、およびＵＲＬＬＣ能力は、サービスタイプに応じて分類された端末能力である。
【００６５】
端末は、端末能力を基地局へ送信するとき、端末のデータスループット能力を基地局へ送信するだけではなく、遅延に関する能力、消費電力に関する能力、信頼性に関する能力、ｅＭＢＢ能力、ｍＭＴＣ能力およびＵＲＬＬＣ能力のうちの少なくとも１つも基地局へ送信する。
【００６６】
好ましくは、端末能力は、さらに、コード誤り訂正能力を含んでもよい。
【００６７】
ステップ２０３では、端末が基地局との接続を確立中に、基地局は、端末から送信された端末能力情報を受信する。
【００６８】
ステップ２０４では、基地局は、端末能力情報に基づいて端末を移動データネットワークへアクセスさせる。
【００６９】
説明すべきことは、ステップ２０２から２０４がステップ２０１の実行中に実行される。
【００７０】
説明すべきことは、上記ステップ２０１および２０２が単独して端末側の方法実施例として実施されてもよいし、ステップ２０１、２０３および２０４が単独して基地局側の方法実施例として実施されてもよい。
【００７１】
このように、本発明の実施例に供される情報送受信方法では、端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決できるとともに、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【００７２】
次の実施例では、端末能力がデータスループット能力、遅延に関する能力、消費電力に関する能力、信頼性に関する能力、ｅＭＢＢ能力、ｍＭＴＣ能力およびＵＲＬＬＣ能力を含むことを例として、本発明の実施例をさらに説明する。
【００７３】
図３は、本発明の別の実施例に供される情報送受信方法のフローチャートを示す。当該情報送受信方法は、図１に示す情報送受信システムに適用可能である。図３に示すように、当該情報送受信方法は、以下のステップを含んでもよい。
【００７４】
ステップ３０１では、端末は、基地局との接続を確立する。
【００７５】
ステップ３０２では、端末が基地局との接続を確立中に、基地局は、能力問い合わせ情報を端末へ送信する。
【００７６】
能力問い合わせ情報は、端末が端末能力情報を送信するように指示するために用いられる。
【００７７】
説明すべきことは、基地局が能力問い合わせ情報を端末へ送信しなくてもよい。つまり、このステップは、実行されなくてもよい。当該ステップを実行する場合、当該ステップは、ステップ３０１の実行中に実行される。
【００７８】
ステップ３０３では、端末は、基地局との接続を確立中に、基地局から送信された能力問い合わせ情報を受信する。
【００７９】
好ましくは、端末は、起動したとき、基地局から送信された能力問い合わせ情報を受信する。
【００８０】
説明すべきことは、当該ステップを実行する場合、当該ステップがステップ３０１の実行中に実行される。当該ステップは、実行されなくてもよい。つまり、基地局が能力問い合わせ情報を送信せず、端末が能力問い合わせ情報を受信しない。すなわち、ステップ３０２および３０３のどちらも実行せず、直接ステップ３０４を実行する。
【００８１】
ステップ３０４では、端末は、基地局との接続の確立中に、端末能力を示すフィールドを含む端末能力情報を基地局へ送信する。端末能力は、データスループット能力、遅延に関する能力、消費電力に関する能力、信頼性に関する能力、ｅＭＢＢ能力、ｍＭＴＣ能力およびＵＲＬＬＣ能力を含む。
【００８２】
端末能力情報は、端末のデータスループット能力を示すデータスループット能力フィールド、端末の遅延に関する能力を示す遅延能力フィールド、端末の消費電力に関する能力を示す消費電力能力フィールド、端末の信頼性に関する能力を示す信頼性能力フィールド、端末ｅＭＢＢ能力を示すｅＭＢＢ能力フィールド、端末ｍＭＴＣ能力を示すｍＭＴＣ能力フィールド、および、端末ＵＲＬＬＣ能力を示すＵＲＬＬＣ能力フィールドを含む。
【００８３】
データスループット能力フィールドがＫ桁のビットからなり、Ｋが１以上の整数である。つまり、Ｋ ｂｉｔｓを用いて端末のデータスループット能力を示す。
【００８４】
例えば、データスループット能力フィールドが３桁のビットからなる。つまり、３ ｂｉｔｓを用いて端末のデータスループット能力を示す。表１は、３ ｂｉｔｓと端末のデータスループット能力との関係を模式的に示す。
【００８５】
【表１】
2018528625.tif 000003
【００８６】
遅延能力フィールドがＸ桁のビットからなり、Ｘが１以上の整数である。つまり、Ｘ ｂｉｔｓを用いて端末の遅延に関する能力を示す。
【００８７】
例えば、遅延能力フィールドが４桁のビットからなる。つまり、４ ｂｉｔｓを用いて端末の遅延に関する能力を示す。表２は、４ ｂｉｔｓと端末の遅延に関する能力との関係を模式的に示す。
【００８８】
【表２】
2018528625.tif 000004
【００８９】
消費電力能力フィールドがＹ桁のビットからなり、Ｙが１以上の整数である。つまり、Ｙ ｂｉｔｓを用いて端末の消費電力に関する能力を示す。
【００９０】
例えば、消費電力能力フィールドが２桁のビットからなる。つまり、２ ｂｉｔｓを用いて端末の消費電力に関する能力を示す。表３は、２ ｂｉｔｓと端末の消費電力に関する能力との関係を模式的に示す。
【００９１】
【表３】
2018528625.tif 000005
【００９２】
信頼性能力フィールドがＺ桁のビットからなり、Ｚが１以上の整数である。つまり、Ｚ ｂｉｔｓを用いて端末の信頼性に関する能力を示す。
【００９３】
例えば、信頼性能力フィールドが３桁のビットからなる。つまり、３ ｂｉｔｓを用いて端末の信頼性に関する能力を示す。表４は、３ ｂｉｔｓと端末の信頼性に関する能力との関係を模式的に示す。
【００９４】
【表４】
2018528625.tif 000006
【００９５】
ｅＭＢＢ能力フィールドがＭ桁のビットからなり、Ｍが１以上の整数である。つまり、Ｍ ｂｉｔｓを用いて端末のｅＭＢＢ能力を示す。
【００９６】
例えば、ｅＭＢＢ能力フィールドが３桁のビットからなる。つまり、３ ｂｉｔｓを用いて端末のｅＭＢＢ能力を示す。表５は、３ ｂｉｔｓと端末のｅＭＢＢ能力との関係を模式的に示す。
【００９７】
【表５】
2018528625.tif 000007
【００９８】
ｍＭＴＣ能力フィールドがＮ桁のビットからなり、Ｎが１以上の整数である。つまり、Ｎ ｂｉｔｓを用いて端末のｍＭＴＣ能力を示す。
【００９９】
例えば、ｍＭＴＣ能力フィールドが２桁のビットからなる。つまり、３ ｂｉｔｓを用いて端末のｍＭＴＣ能力を示す。表６は、２ ｂｉｔｓと端末のｍＭＴＣ能力との関係を模式的に示す。
【０１００】
【表６】
2018528625.tif 000008
【０１０１】
ＵＲＬＬＣ能力フィールドがＡ桁のビットからなり、Ａが１以上の整数である。つまり、Ａ ｂｉｔｓを用いて端末の遅延に関する能力を示す。
【０１０２】
例えば、ＵＲＬＬＣ能力フィールドが４桁のビットからなる。つまり、４ ｂｉｔｓを用いて端末の遅延に関する能力を示す。表７は、４ ｂｉｔｓと端末のＵＲＬＬＣ能力との関係を模式的に示す。
【０１０３】
【表７】
2018528625.tif 000009
【０１０４】
ステップ３０５では、基地局は、端末との接続の確立中に、端末能力を示すフィールドを含む、端末から送信された端末能力情報を受信する。端末能力は、データスループット能力、遅延に関する能力、消費電力に関する能力、信頼性に関する能力、ｅＭＢＢ能力、ｍＭＴＣ能力およびＵＲＬＬＣ能力を含む。
【０１０５】
ステップ３０６では、基地局は、端末能力情報に基づいて端末能力を特定する。
【０１０６】
基地局は、受信した端末能力情報を解析し、端末の端末能力を特定する。
【０１０７】
ステップ３０７では、基地局は、端末能力が能力区間内にあるか否かを判断する。
【０１０８】
能力区間の端点は、移動データネットワークがサポートする端末の最小能力および最大能力である。
【０１０９】
例えば、基地局が端末から送信された端末能力情報に基づいて特定した端末の遅延に関する能力レベルを３、移動データネットワークがサポートする遅延に関する最小能力レベルを２、遅延に関する最大能力レベルを４とすれば、能力区間が[３、４]になり、基地局は、端末の遅延に関する能力が能力区間[３、４]内にあるか否かを判断する。
【０１１０】
端末能力が能力区間内にある場合、基地局は、端末を移動データネットワークへアクセスさせる。つまり、ステップ３０８を実行する。端末能力が能力区間内にない場合、基地局は、端末からの接続を拒否し、端末を移動データネットワークへアクセスさせない。
【０１１１】
ステップ３０８では、端末能力が能力区間内にある場合、基地局は、端末を移動データネットワークへアクセスさせる。
【０１１２】
説明すべきことは、ステップ３０２から３０８がステップ３０１の実行中に実行される。
【０１１３】
ステップ３０９では、基地局は、端末能力情報に基づいて端末の実行すべきサービスのタイプを特定する。
【０１１４】
基地局は、端末能力情報を解析して端末能力を特定し、端末能力に基づいて端末の実行すべきサービスタイプを特定する。例えば、基地局が端末能力情報を解析した後、端末の遅延に関する能力レベルを１と特定すれば、ＵＲＬＬＣレベルが５になり、端末の実行すべきサービスは、生放送サービスとして特定される。
【０１１５】
ステップ３１０では、基地局は、ネットワークリソースをサービスのタイプに応じて端末へ割り当てる。
【０１１６】
基地局は、端末の実行すべきサービスのタイプに応じて、サービスのタイプに対応するネットワークリソースを端末へ割り当てる。
【０１１７】
例えば、端末の実行すべきサービスのタイプが生放送である場合、基地局は、生放送サービスに対応するネットワークリソースを端末へ割り当てる。
【０１１８】
ステップ３１１では、端末は、基地局によって割り当てられたネットワークリソースを用いてサービスを処理する。
【０１１９】
端末能力が変化したとき、端末は、更新後の端末能力情報を基地局へ送信する。
【０１２０】
例えば、端末より前回送信された端末能力情報が端末のデータスループット能力レベルを２、ＵＲＬＬＣ能力レベルを４と指示し、端末能力が変化し、変化後のデータスループット能力レベルが６、ＵＲＬＬＣ能力レベルが１、消費電力に関する能力がなしから消費電力に関する能力レベル２に変化した場合、端末は、更新後の端末能力情報を基地局へ送信する。
【０１２１】
ある実現形態では、端末が基地局との接続を確立した後、端末能力が変化したとき、端末は、更新後の端末能力情報を基地局へ送信する。
【０１２２】
例えば、端末が基地局との接続を確立するとき、基地局へ送信した端末能力は、生放送ビデオサービスに対応する端末能力であり、基地局から端末へ割り当てられたネットワークリソースは、生放送ビデオサービスに対応するネットワークリソースである。ユーザが端末を用いて車ネットワークサービスを処理するとき、端末能力が変化し、例えば、端末が比較的に低い遅延を要求する場合、端末は、更新後の端末能力情報を基地局へ送信し、基地局は、端末から送信された更新後の端末能力情報に応じて、車ネットワークサービスに対応するネットワークリソースを端末へ割り当てる。
【０１２３】
別の実現形態では、端末が基地局との接続を確立中に、端末能力が変化したとき、端末は、更新後の端末能力情報を基地局へ送信する。
【０１２４】
例えば、端末が基地局との接続を確立中において端末における幾つかのソフトウェアがアップデータされたため、端末能力が変化した場合、端末は、更新後の端末能力情報を基地局へ送信する。
【０１２５】
それ相応に、基地局は、端末から送信された更新後の端末能力情報を受信する。
【０１２６】
基地局は、受信した更新後の端末能力情報に基づいて、端末の実行すべき新たなサービスのタイプを特定し、新たなサービスのタイプに対応するネットワークリソースを端末へ割り当てる。
【０１２７】
説明すべきことは、上記ステップ３０１、３０３、３０４および３１１が単独して端末側の方法実施例として実現されてもよいし、ステップ３０２、３０５から３１０が単独して基地局側の方法実施例として実現されてもよい。
【０１２８】
このように、本発明の実施例に供される情報送受信方法では、端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決できるとともに、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【０１２９】
また、端末能力が変化したとき、端末が更新後の端末能力情報を基地局へ送信し、基地局が端末から送信された更新後の端末能力情報に応じて端末へ割り当てるネットワークリソースをタイムリーに調整可能であるため、端末が実際の使用中で異なるタイプのサービスを切り替える場合にも異なるタイプのサービスに対する処理効果が確保される。
【０１３０】
図３に示す実施例に基づく好適な実施例では、端末能力が遅延に関する能力、消費電力に関する能力、信頼性に関する能力、ｅＭＢＢ能力、ｍＭＴＣ能力およびＵＲＬＬＣ能力のうちの何れか１つとデータスループット能力とを含むことをもとに、本発明の実施例をさらに説明する。
【０１３１】
端末能力が遅延に関する能力、消費電力に関する能力、信頼性に関する能力、ｅＭＢＢ能力、ｍＭＴＣ能力およびＵＲＬＬＣ能力のうちの何れか１つとデータスループット能力とを含む場合、図４に示すように、上記ステップ３０４に代えてステップ３０４ａを実施し、ステップ３０５に代えてステップ３０５ａを実施してもよい。
【０１３２】
ステップ３０４ａでは、端末は、基地局との接続を確立中に、端末能力を示すフィールドを含む端末能力情報を基地局へ送信する。端末能力は、遅延に関する能力、消費電力に関する能力、信頼性に関する能力、ｅＭＢＢ能力、ｍＭＴＣ能力およびＵＲＬＬＣ能力のうちの何れか１つとデータスループット能力とを含む。
【０１３３】
端末能力は、遅延に関する能力、消費電力に関する能力および信頼性に関する能力のうちの何れか１つとスループット能力とを含み、または、端末能力は、ＭＢＢ能力、ｍＭＴＣ能力およびＵＲＬＬＣ能力のうちの何れか１つとデータスループット能力とを含む。
【０１３４】
つまり、端末能力は、データスループット能力および遅延に関する能力を含み、または、端末能力は、データスループット能力および消費電力に関する能力を含み、または、端末能力は、データスループット能力および信頼性に関する能力を含み、または、端末能力は、データスループット能力およびｍＭＴＣ能力を含み、または、端末能力は、データスループット能力およびｅＭＢＢ能力を含み、または、端末能力は、データスループット能力およびＵＲＬＬＣ能力を含む。
【０１３５】
当該ステップの具体的な実施形態がステップ３０４に類似するため、ここで繰り返し説明しない。
【０１３６】
ステップ３０５ａでは、基地局は、端末との接続を確立中に、端末能力を示すフィールドを含む、端末から送信された端末能力情報を受信する。端末能力は、遅延に関する能力、消費電力に関する能力、信頼性に関する能力、ｅＭＢＢ能力、ｍＭＴＣ能力およびＵＲＬＬＣ能力のうちの何れか１つと、データスループット能力とを含む。
【０１３７】
図３に示す実施例に基づく好適な実施例では、端末能力が遅延に関する能力、消費電力に関する能力、信頼性に関する能力、ｅＭＢＢ能力、ｍＭＴＣ能力およびＵＲＬＬＣ能力のうちの何れか２つとデータスループット能力とを含むことをもとに、本発明の実施例をさらに説明する。
【０１３８】
端末能力が遅延に関する能力、消費電力に関する能力、信頼性に関する能力、ｅＭＢＢ能力、ｍＭＴＣ能力およびＵＲＬＬＣ能力のうちの何れか２つとデータスループット能力とを含む場合、図５Ａに示すように、上記ステップ３０４に代えてステップ３０４ｂを実施し、ステップ３０５に代えてステップ３０５ｂを実施してもよい。
【０１３９】
ステップ３０４ｂでは、端末は、基地局との接続を確立中に、端末能力を示すフィールドを含む端末能力情報を基地局へ送信する。端末能力は、遅延に関する能力、消費電力に関する能力、信頼性に関する能力、ｅＭＢＢ能力、ｍＭＴＣ能力およびＵＲＬＬＣ能力のうちの何れか２つと、データスループット能力とを含む。
【０１４０】
当該ステップの具体的な実施形態がステップ３０３に類似するため、ここで繰り返し説明しない。
【０１４１】
ステップ３０５ｂでは、端末が基地局との接続を確立中に、基地局は、端末能力を示すフィールドを含む、端末から送信された端末能力情報を受信する。端末能力は、遅延に関する能力、消費電力に関する能力、信頼性に関する能力、ｅＭＢＢ能力、ｍＭＴＣ能力およびＵＲＬＬＣ能力のうちの何れか２つと、データスループット能力とを含む。
【０１４２】
図３に示す実施例に基づく好適な実施例では、端末能力が遅延に関する能力、消費電力に関する能力、信頼性に関する能力、ｅＭＢＢ能力、ｍＭＴＣ能力およびＵＲＬＬＣ能力のうちの何れか３つとデータスループット能力とを含むことをもとに、本発明の実施例をさらに説明する。
【０１４３】
端末能力が遅延に関する能力、消費電力に関する能力、信頼性に関する能力、ｅＭＢＢ能力、ｍＭＴＣ能力およびＵＲＬＬＣ能力のうちの何れか３つとデータスループット能力とを含む場合、図５Ｂに示すように、上記ステップ３０４に代えてステップ３０４ｃを実施し、ステップ３０５に代えてステップ３０５ｃを実施してもよい。
【０１４４】
ステップ３０４ｃでは、端末は、基地局との接続を確立中に、端末能力を示すフィールドを含む端末能力情報を基地局へ送信する。端末能力は、遅延に関する能力、消費電力に関する能力、信頼性に関する能力、ｅＭＢＢ能力、ｍＭＴＣ能力およびＵＲＬＬＣ能力のうちの何れか３つと、データスループット能力とを含む。
【０１４５】
当該ステップの具体的な実施形態がステップ３０３に類似するため、ここで繰り返し説明しない。
【０１４６】
ステップ３０５ｃでは、端末が基地局との接続を確立中に、基地局は、端末能力を示すフィールドを含む、端末から送信された端末能力情報を受信する。端末能力は、遅延に関する能力、消費電力に関する能力、信頼性に関する能力、ｅＭＢＢ能力、ｍＭＴＣ能力およびＵＲＬＬＣ能力のうちの何れか３つと、データスループット能力とを含む。
【０１４７】
図３に示す実施例に基づく好適な実施例では、端末能力が遅延に関する能力、消費電力に関する能力、信頼性に関する能力、ｅＭＢＢ能力、ｍＭＴＣ能力およびＵＲＬＬＣ能力のうちの何れか４つとデータスループット能力とを含むことをもとに、本発明の実施例をさらに説明する。
【０１４８】
端末能力が遅延に関する能力、消費電力に関する能力、信頼性に関する能力、ｅＭＢＢ能力、ｍＭＴＣ能力およびＵＲＬＬＣ能力のうちの何れか４つとデータスループット能力とを含む場合、図５Ｃに示すように、上記ステップ３０４に代えてステップ３０４ｄを実施し、ステップ３０５に代えてステップ３０５ｄを実施してもよい。
【０１４９】
ステップ３０４ｄでは、端末は、基地局との接続を確立中に、端末能力を示すフィールドを含む端末能力情報を基地局へ送信する。端末能力は、遅延に関する能力、消費電力に関する能力、信頼性に関する能力、ｅＭＢＢ能力、ｍＭＴＣ能力およびＵＲＬＬＣ能力のうちの何れか４つとデータスループット能力とを含む。
【０１５０】
当該ステップの具体的な実施形態がステップ３０３に類似するため、ここで繰り返し説明しない。
【０１５１】
ステップ３０５ｄでは、端末が基地局との接続を確立中に、基地局は、端末能力を示すフィールドを含む、端末から送信された端末能力情報を受信する。端末能力は、遅延に関する能力、消費電力に関する能力、信頼性に関する能力、ｅＭＢＢ能力、ｍＭＴＣ能力およびＵＲＬＬＣ能力のうちの何れか４つと、データスループット能力とを含む。
【０１５２】
図３に示す実施例に基づく好適な実施例では、端末能力が遅延に関する能力、消費電力に関する能力、信頼性に関する能力、ｅＭＢＢ能力、ｍＭＴＣ能力およびＵＲＬＬＣ能力のうちの何れか５つとデータスループット能力とを含むことをもとに、本発明の実施例をさらに説明する。
【０１５３】
端末能力が遅延に関する能力、消費電力に関する能力、信頼性に関する能力、ｅＭＢＢ能力、ｍＭＴＣ能力およびＵＲＬＬＣ能力のうちの何れか５つとデータスループット能力とを含む場合、図５Ｄに示すように、上記ステップ３０４に代えてステップ３０４ｅを実施し、ステップ３０５に代えてステップ３０５ｅを実施してもよい。
【０１５４】
ステップ３０４ｅでは、端末は、基地局との接続を確立中に、端末能力を示すフィールドを含む端末能力情報を基地局へ送信する。端末能力は、遅延に関する能力、消費電力に関する能力、信頼性に関する能力、ｅＭＢＢ能力、ｍＭＴＣ能力およびＵＲＬＬＣ能力のうちの任意の５つとデータスループット能力とを含む。
【０１５５】
当該ステップの具体的な実施形態がステップ３０３に類似するため、ここで繰り返し説明しない。
【０１５６】
ステップ３０５ｅでは、端末が基地局との接続を確立中に、基地局は、端末能力を示すフィールドを含む、端末から送信された端末能力情報を受信する。端末能力は、遅延に関する能力、消費電力に関する能力、信頼性に関する能力、ｅＭＢＢ能力、ｍＭＴＣ能力およびＵＲＬＬＣ能力のうちの何れか５つと、データスループット能力とを含む。
【０１５７】
図６は、本発明の一実施例に供される情報送信装置の構造ブロック図を示す。当該情報送信装置は、ソフトウェア、ハードウェアまたは両者の組み合わせで上記情報送受信方法を実施可能な端末の全部または一部として実現されてもよい。
【０１５８】
当該装置は、基地局との接続を確立するように構成される接続モジュール６１０と、基地局との接続の確立中に、基地局が端末能力を示すフィールドを含む端末能力情報に基づいて端末を移動データネットワークへアクセスさせるように、端末能力情報を基地局へ送信するように構成される送信モジュール６２０とを備え、端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを少なくとも含む。
【０１５９】
このように、本発明の実施例に供される情報送信装置では、端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決でき、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【０１６０】
図７は、本発明の別の実施例に供される情報送信装置の構造ブロック図を示す。当該情報送信装置は、ソフトウェア、ハードウェアまたは両者の組み合わせで上記情報送受信方法を実施可能な端末の全部または一部として実現されてもよい。
【０１６１】
当該装置は、基地局との接続を確立するように構成される接続モジュール７１０と、基地局との接続の確立中に、基地局が端末能力を示すフィールドを含む端末能力情報に基づいて端末を移動データネットワークへアクセスさせるように、端末能力情報を基地局へ送信するように構成される送信モジュール７２０とを備え、端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを少なくとも含む。
【０１６２】
好ましくは、端末能力が遅延に関する能力を含む場合、端末能力情報は、端末の遅延に関する能力を示す遅延能力フィールドを含み、遅延能力フィールドがＸ桁のビットからなり、Ｘが１以上の整数である。
【０１６３】
好ましくは、端末能力が消費電力に関する能力を含む場合、端末能力情報は、端末の消費電力に関する能力を示す消費電力能力フィールドを含み、消費電力能力フィールドがＹ桁のビットからなり、Ｙが１以上の整数である。
【０１６４】
好ましくは、端末能力が信頼性に関する能力を含む場合、端末能力情報は、端末の信頼性に関する能力を示す信頼性能力フィールドを含み、信頼性能力フィールドがＺ桁のビットからなり、Ｚが１以上の整数である。
【０１６５】
好ましくは、端末能力がｅＭＢＢ能力を含む場合、端末能力情報は、端末のｅＭＢＢ能力を示すｅＭＢＢ能力フィールドを含み、ｅＭＢＢ能力フィールドがＭ桁のビットからなり、Ｍが１以上の整数である。
【０１６６】
好ましくは、端末能力がｍＭＴＣ能力を含む場合、端末能力情報は、端末のｍＭＴＣ能力を示すｍＭＴＣ能力フィールドを含み、ｍＭＴＣ能力フィールドがＮ桁のビットからなり、Ｎが１以上の整数である。
【０１６７】
好ましくは、端末能力がＵＲＬＬＣ能力を含む場合、端末能力情報は、端末のＵＲＬＬＣ能力を示すＵＲＬＬＣ能力フィールドを含み、ＵＲＬＬＣ能力フィールドがＡ桁のビットからなり、Ａが１以上の整数である。
【０１６８】
好ましくは、端末能力情報は、端末のデータスループット能力を示すデータスループット能力フィールドを含み、データスループット能力フィールドがＫ桁のビットからなり、Ｋが１以上の整数である。
【０１６９】
好ましくは、送信モジュールは、さらに、端末能力が変化したとき、更新後の端末能力情報を基地局へ送信するように構成される。
【０１７０】
好ましくは、当該装置は、基地局によって割り当てられたネットワークリソースを用いてサービスを処理するように構成されるサービス処理モジュール７３０をさらに備え、ネットワークリソースは、基地局が端末能力情報に基づいて端末の実行すべきサービスのタイプを特定し、サービスのタイプに応じて端末へ割り当てるものである。
【０１７１】
好ましくは、当該装置は、基地局との接続の確立中に、基地局から送信された能力問い合わせ情報であって、端末が端末能力情報を基地局へ送信するように指示するための能力問い合わせ情報を受信するように構成される受信モジュール７４０をさらに備える。
【０１７２】
好ましくは、送信モジュール７２０は、さらに、基地局が端末能力情報に基づいて端末能力を特定して端末能力が能力区間内にあるか否かを判断し、且つ端末能力が能力区間内にある場合において端末を移動データネットワークへアクセスさせるように、端末能力情報を基地局へ送信するように構成され、能力区間の端点は、移動データネットワークがサポートする端末の最小能力および最大能力である。
【０１７３】
このように、本発明の実施例に供される情報送信装置では、端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決できるとともに、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【０１７４】
また、端末能力が変化したとき、端末が更新後の端末能力情報を基地局へ送信し、基地局が端末から送信された更新後の端末能力情報に応じて端末へ割り当てるネットワークリソースをタイムリーに調整可能であるため、端末が実際の使用中で異なるタイプのサービスを切り替える場合にも異なるタイプのサービスに対する処理効果が確保される。
【０１７５】
図８は、本発明の一実施例に供される情報受信装置の構造ブロック図を示す。当該情報送信装置は、ソフトウェア、ハードウェアまたは両者の組み合わせで上記情報送受信方法を実施可能な基地局の全部または一部として実現されてもよい。
【０１７６】
当該装置は、端末との接続を確立するように構成される接続モジュール８１０と、端末との接続の確立中に、端末能力を示すフィールドを含む、前記端末から送信された端末能力情報を受信するように構成される受信モジュール８２０とを備え、前記端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを含む。接続モジュール８１０は、さらに、前記端末能力情報に基づいて前記端末を移動データネットワークへアクセスさせるように構成される。
【０１７７】
このように、本発明の実施例に供される情報送信装置では、端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決できるとともに、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【０１７８】
図９は、本発明の一実施例に供される情報受信装置の構造ブロック図を示す。当該情報送信装置は、ソフトウェア、ハードウェアまたは両者の組み合わせで上記情報送受信方法を実施可能な基地局の全部または一部として実現されてもよい。
【０１７９】
当該装置は、端末との接続を確立するように構成される接続モジュール９１０と、端末との接続の確立中に、端末能力を示すフィールドを含む、前記端末から送信された端末能力情報を受信するように構成される受信モジュール９２０とを備え、前記端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを含む。接続モジュール９１０は、さらに、前記端末能力情報に基づいて前記端末を移動データネットワークへアクセスさせるように構成される。
【０１８０】
好ましくは、前記端末能力が前記遅延に関する能力を含む場合、前記端末能力情報は、前記端末の遅延に関する能力を示す遅延能力フィールドを含み、前記遅延能力フィールドがＸ桁のビットからなり、Ｘが１以上の整数である。
【０１８１】
好ましくは、前記端末能力が前記消費電力に関する能力を含む場合、前記端末能力情報は、前記端末の消費電力に関する能力を示す消費電力能力フィールドを含み、前記消費電力能力フィールドがＹ桁のビットからなり、Ｙが１以上の整数である。
【０１８２】
好ましくは、前記端末能力が前記信頼性に関する能力を含む場合、前記端末能力情報は、前記端末の信頼性に関する能力を示す信頼性能力フィールドを含み、前記信頼性能力フィールドがＺ桁のビットからなり、Ｚが１以上の整数である。
【０１８３】
好ましくは、端末能力がｅＭＢＢ能力を含む場合、端末能力情報は、端末のｅＭＢＢ能力を示すｅＭＢＢ能力フィールドを含み、ｅＭＢＢ能力フィールドがＭ桁のビットからなり、Ｍが１以上の整数である。
【０１８４】
好ましくは、端末能力がｍＭＴＣ能力を含む場合、端末能力情報は、端末のｍＭＴＣ能力を示すｍＭＴＣ能力フィールドを含み、ｍＭＴＣ能力フィールドがＮ桁のビットからなり、Ｎが１以上の整数である。
【０１８５】
好ましくは、端末能力がＵＲＬＬＣ能力を含む場合、端末能力情報は、端末のＵＲＬＬＣ能力を示すＵＲＬＬＣ能力フィールドを含み、ＵＲＬＬＣ能力フィールドがＡ桁のビットからなり、Ａが１以上の整数である。
【０１８６】
好ましくは、前記端末能力情報は、前記端末のデータスループット能力を示すデータスループット能力フィールドを含み、前記データスループット能力フィールドがＫ桁のビットからなり、前記Ｋが１以上の整数である。
【０１８７】
好ましくは、受信モジュールは、さらに、前記端末から送信された更新後の端末能力情報を受信するように構成される。
【０１８８】
好ましくは、当該装置は、前記端末能力情報に基づいて前記端末の実行すべきサービスのタイプを特定するように構成されるタイプ特定モジュール９３０と、ネットワークリソースを前記サービスのタイプに応じて前記端末へ割り当てるように構成されるリソース割当モジュール９４０と、をさらに備える。
【０１８９】
好ましくは、当該装置は、前記端末との接続の確立中に、前記端末が前記端末能力情報を送信するように指示するための能力問い合わせ情報を前記端末へ送信するように構成される送信モジュール９５０をさらに備える。
【０１９０】
好ましくは、前記接続モジュール９１０は、さらに、前記端末能力情報に基づいて前記端末能力を特定し、前記端末能力が能力区間内にあるか否かを判断し、前記端末能力が前記能力区間内にある場合、前記端末を前記移動データネットワークへアクセスさせるように構成され、前記能力区間の端点は、前記移動データネットワークがサポートする端末の最小能力および最大能力である。
【０１９１】
このように、本発明の実施例に供される情報受信装置では、端末が基地局との接続を確立中に、端末が複数の端末能力を示せる端末能力情報を基地局へ送信することで、端末が端末能力を報告するときに端末のデータスループット能力のみを報告し、基地局がネットワークリソースを割り当てるときに端末のデータスループット能力のみに応じて割り当てるため、サービスのタイプに対応するネットワークリソースを割り当てることができないという従来の問題を解決できるとともに、端末から送信された端末能力がより全面的になり、基地局がリソースを割り当てるときに端末から送信された複数の端末能力に応じてサービスのタイプに対応するネットワークリソースを端末へ割り当てることができるという作用効果を奏する。
【０１９２】
また、端末能力が変化したとき、端末が更新後の端末能力情報を基地局へ送信し、基地局が端末から送信された更新後の端末能力情報に応じて端末へ割り当てるネットワークリソースをタイムリーに調整可能であるため、端末が実際の使用中で異なるタイプのサービスを切り替える場合にも異なるタイプのサービスに対する処理効果が確保される。
【０１９３】
本発明の一実施例は、本発明に供される情報送受信方法を実施可能な情報送信装置を提供する。当該情報送信装置は、プロセッサと、プロセッサの実行可能な指令を記憶するためのメモリとを備える。ただし、プロセッサは、基地局との接続を確立し、基地局との接続の確立中に、基地局が端末能力を示すフィールドを含む端末能力情報に基づいて端末を移動データネットワークへアクセスさせるように、端末能力情報を基地局へ送信するように構成され、端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを少なくとも含む。
【０１９４】
本発明の一実施例は、本発明に供される情報送受信方法を実施可能な情報受信装置を提供する。当該情報受信装置は、プロセッサと、プロセッサの実行可能な指令を記憶するためのメモリとを備える。ただし、プロセッサは、端末との接続を確立し、端末との接続の確立中に、端末能力を示すフィールドを含む、端末から送信された端末能力情報を受信し、端末能力情報に基づいて端末を移動データネットワークへアクセスさせるように構成され、端末能力は、遅延に関する能力、消費電力に関する能力、信頼性に関する能力、ｅＭＢＢ能力、ｍＭＴＣ能力およびＵＲＬＬＣ能力のうちの少なくとも１つと、データスループット能力とを含む。
【０１９５】
図１０は、一実施例による情報送信装置を示すブロック図である。例えば、装置１０００は、携帯電話、コンピュータ、デジタル放送端末、メッセージ送受信機器、ゲームコンソール、タブレットデバイス、医療設備、フィットネス機器、ＰＤＡなどであってもよい。
【０１９６】
図１０を参照すると、装置１０００は、処理ユニット１００２、メモリ１００４、電源ユニット１００６、マルチメディアユニット１００８、オーディオユニット１０１０、入力／出力（Ｉ／Ｏ）インターフェース１０１２、センサユニット１０１４、および、通信ユニット１０１６のうちの１つまたは複数を含んでもよい。
【０１９７】
処理ユニット１００２は、通常は、表示、電話発呼、データ通信、カメラ操作および記録操作に関連する操作のような、装置１０００の全般操作を制御する。処理ユニット１００２は、上記方法の全部または一部のステップを実施させるように、指令を実行するための１つまたは複数のプロセッサ１０１８を含んでもよい。また、処理ユニット１００２は、処理ユニット１００２と他のユニットとの間の相互作用を容易にするように、１つ又は複数のモジュールを含んでもよい。例えば、処理ユニット１００２は、マルチメディアユニット１００８と処理ユニット１００２との間の相互作用を容易にするように、マルチメディアモジュールを含んでもよい。
【０１９８】
メモリ１００４は、各タイプのデータを記憶して装置１０００での操作をサポートするように構成される。これらのデータの例示は、装置１０００で操作するための任意のアプリケーションもしくは方法の指令、連絡先データ、電話帳データ、メッセージ、ピクチャ、ビデオなどを含む。メモリ１００４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１９９】
電源ユニット１００６は、装置１０００のユニットのそれぞれに電力を供給する。電源ユニット１００６は、電源管理システム、１つまたは複数の電源、並びに、他の装置１０００用の電力を生成、管理および配分するに関する他のユニットを含んでもよい。
【０２００】
マルチメディアユニット１００８は、前記装置１０００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット１００８は、１つのフロントカメラおよび/またはリアカメラを含む。装置１０００が操作モード、例えば、撮影モードあるいはビデオモードであるとき、フロントカメラおよび/またはリアカメラは、外部のマルチメディアデータを受信することができる。フロントカメラおよびリアカメラのそれぞれは、１つの固定の光学レンズシステムであってもよいし、焦点距離および光学ズーム能力を有するものであってもよい。
【０２０１】
オーディオユニット１０１０は、オーディオ信号を出力および/または入力するように構成される。例えば、オーディオユニット１０１０は、マイク（ＭＩＣ）を備え、装置１０００が操作モード、例えば、発呼モード、記録モードおよび音声識別モードであるとき、マイクは、外部オーディオ信号を受信するように構成される。受信されたオーディオ信号は、さらに、メモリ１００４に格納される、または、通信ユニット１０１６を介して送信されることができる。一部の実施例では、オーディオユニット１０１０は、オーディオ信号を出力するためのスピーカをさらに備える。
【０２０２】
Ｉ/Ｏインターフェース１０１２は、処理ユニット１００２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０２０３】
センサユニット１０１４は、様々な側面での状態推定を装置１０００に供給するための１つまたは複数のセンサを含む。例えば、センサユニット１０１４は、装置１０００のオン/オフ状態、ユニットの相対位置を検出することができ、ユニットは、例えば、装置１０００のディスプレイおよびキーパッドである。センサユニット１０１４は、さらに、装置１０００もしくは装置１０００の１つのユニットの位置変更、ユーザと装置１０００との接触の存在もしくは非存在、装置１０００の方位もしくは加速/減速および装置１０００の温度変化をさらに検出することができる。センサユニット１０１４は、如何なる物理的接触もないとき、近辺にある物体の存在を検出するための近接センサを含んでもよい。センサユニット１０１４は、さらに、イメージングアプリケーションに使用される光センサ、例えばＣＭＯＳまたはＣＣＤ画像センサを含んでもよい。一部の実施例では、当該センサユニット１０１４は、さらに、加速度センサ、ジャイロセンサ、磁気センサ、圧力センサ、または温度センサを含んでもよい。
【０２０４】
通信ユニット１０１６は、装置１０００と他の機器間の無線または有線方式の通信ができるように構成される。装置１０００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１０１６は、外部ブロードキャスト管理システムからのブロードキャスト信号またはブロードキャスト関連情報をブロードキャストチャネルを介して受信する。ある実施例では、通信ユニット１０１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０２０５】
実施例では、装置１０００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０２０６】
実施例では、指令を含む非一時的コンピュータ読み取り可能な記憶媒体、例えば、指令を含むメモリ１００４をさらに提供し、上記指令が装置１０００のプロセッサ１０１８によって実行されることで上記情報送信方法を実施させることができる。例えば、非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０２０７】
図１１は、本発明の実施例に関わる基地局のある可能な構造模式図を示す。
基地局１１００は、送信機・受信機１１０１と、プロセッサ１１０２とを備える。ただし、プロセッサ１１０２は、コントローラであってもよく、図１１で「コントローラ・プロセッサ１１０２」と表記される。前記送信機・受信機１１０１は、基地局と上記実施例における前記端末との間で情報を送受信することや、前記端末と他の端末との間で無線通信を行うことをサポートする。前記プロセッサ１１０２は、端末と通信するための各機能を実行する。上りリンクにおいて、前記端末からの上りリンク信号は、アンテナを介して受信され、受信機１１０１によって復調され（例えば、高周波数信号をベースバンド信号に復調する）、さらにプロセッサ１１０２によって処理されることで、端末から送信されたサービスデータおよびシグナリング情報に回復する。下りリンクにおいて、サービスデータおよびシグナリングメッセージがプロセッサ１１０２によって処理され、送信機１１０１によって変調される（例えば、ベースバンド信号を高周波数信号に変調する）ことで、下りリンク信号は、生成されてアンテナを介して端末に送信される。説明すべきことは、上記復調或いは変調の機能がプロセッサ１１０２によって実施されてもよい。
【０２０８】
さらに、基地局１１００は、基地局１１００のプログラムコードおよびデータを記憶するためのメモリ１１０３をさらに備えてもよい。また、基地局は、通信手段１１０４をさらに備えてもよい。通信手段１１０４は、基地局と他のネットワークエンティティ（例えば、コアネットワークにおけるネットワーク機器等）の間の通信をサポートする。例えば、ＬＴＥシステムにおいて、当該通信手段１１０４は、基地局とサービングゲートウェイ（Ｓｅｒｖｉｎｇ Ｇａｔｅｗａｙ、ＳＧＷと略称）の間の通信をサポートするためのＳ１-Ｕインターフェースであってもよい。あるいは、当該通信手段１１０４は、基地局と移動性管理エンティティ（Ｍｏｂｉｌｉｔｙ Ｍａｎａｇｅｍｅｎｔ Ｅｎｔｉｔｙ、ＭＭＥと略称）の間の通信をサポートするためのＳ１-ＭＭＥインターフェースであってもよい。
【０２０９】
理解できるように、図１１は、基地局１１００の構成を簡素化した図である。実際の応用において、基地局１１００は、任意数の送信機、受信機、プロセッサ、コントローラ、メモリおよび通信手段等を含んでもよい。本発明の実施例を実行可能なあらゆる基地局も本発明の実施例の保護範囲内に収まる。
【０２１０】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０２１１】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【図１】
2018528625.tif 000010
【図２】
2018528625.tif 000011
【図３】
2018528625.tif 000012
【図４】
2018528625.tif 000013
【図５Ａ】
2018528625.tif 000014
【図５Ｂ】
2018528625.tif 000015
【図５Ｃ】
2018528625.tif 000016
【図５Ｄ】
2018528625.tif 000017
【図６】
2018528625.tif 000018
【図７】
2018528625.tif 000019
【図８】
2018528625.tif 000020
【図９】
2018528625.tif 000021
【図１０】
2018528625.tif 000022
【図１１】
2018528625.tif 000023
【国際調査報告】
2018528625.tif 000024
2018528625.tif 000025
2018528625.tif 000026
2018528625.tif 000027
2018528625.tif 000028
2018528625.tif 000029